(57)【要約】【課題】施工時には整然とした接合部を形成することができ、経時的に収縮または膨張しても前記接合部に問題を生じることのないフローリング用板材を提供する。【解決手段】複数の凹溝部５，１３を備える第１の板材２ａと、各凹溝部５，１３に噛合される複数の凸条部１８，２７を備える第２の板材２ｂとからなる。板材２ａは板材表面３ａ側から該板材の裏面側に向けて所定の角度で傾斜する第１の傾斜面４を備え、板材２ａの凹溝部５は、第１の傾斜面４の上側の空間により形成されている。板材２ｂは板材表面３ｂ側から該板材の裏面側に向けて前記所定の角度よりも小さな角度で傾斜する第２の傾斜面１７を備え、板材２ｂの凸条部１８は、板材表面３ｂと第２の傾斜面１７とに挟まれる部分により形成され、板材２ａの第１の傾斜面４の上側の空間により形成された凹溝部５に噛合される。【選択図】  図１
2006342660.tif 000002
【特許請求の範囲】
【請求項１】
端部に凹溝部を備える第１の板材と、端部に凸条部を備える第２の板材とからなり、第１の板材の凹溝部に第２の板材の凸条部を噛合させることにより両板材を突き合わせて接合するフローリング用板材において、
複数の凹溝部を備える第１の板材と、各凹溝部に噛合される複数の凸条部を備える第２の板材とからなり、
第１の板材は該板材の表面に連接し、該表面側から該板材の裏面側に向けて所定の角度で傾斜する第１の傾斜面を備え、第１の板材の前記凹溝部の１つは、第１の傾斜面の上側の空間により形成されており、
第２の板材は該板材の表面側から該板材の裏面側に向けて前記所定の角度よりも小さな角度で傾斜する第２の傾斜面を備え、第２の板材の前記凸条部の１つは、該板材の表面と第２の傾斜面とに挟まれる部分により形成され、第１の板材の第１の傾斜面の上側の空間により形成された凹溝部に噛合されることを特徴とするフローリング用板材。
【請求項２】
板材の表面に連接し該表面側から該板材の裏面側に向けて１５〜６０°の範囲の角度で傾斜する第１の傾斜面の上側の空間により形成される第１の凹溝部と、
第１の傾斜面と、第１の傾斜面に対向し該表面と平行な第１の非傾斜面とに挟まれる部分により形成される第１の凸条部と、
第１の非傾斜面と、第１の非傾斜面に対し所定の間隔を存して該表面と平行に形成された第２の非傾斜面とに挟まれる空間により形成される第２の凹溝部と、
第２の非傾斜面と、該板材の裏面とに挟まれる部分により形成され、該板材の１／４〜１／２の範囲の厚さを備え、かつ、第１の凸条部の先端部から４〜２５ｍｍの範囲の長さで該板材の幅方向に延在する第２の凸条部とを備える第１の板材と、
板材の表面と、該板材の表面側から該板材の裏面側に向けて第１の傾斜面と同方向に、第１の傾斜面よりも小さな角度で傾斜する第２の傾斜面とに挟まれる部分により形成され、第１の凹溝部に噛合される第３の凸条部と、
第２の傾斜面と、第２の傾斜面に対向し該表面側から該板材の裏面側に向けて第１の傾斜面と逆方向に１〜５°の範囲の角度で傾斜する第３の傾斜面とに挟まれる空間により形成されて第１の凸条部が噛合される第３の凹溝部と、
第３の傾斜面と、第３の傾斜面に対向し該表面と平行な第３の非傾斜面とに挟まれる部分により形成されて第２の凹溝部に噛合される第４の凸条部と、
第３の非傾斜面の下側の空間により形成され、第２、第３の両非傾斜面間に間隔を存して、第２の凸条部が噛合される第４の凹溝部とを備える第２の板材とからなることを特徴とする請求項１記載のフローリング用板材。
【請求項３】
板材の表面に連接し該表面側から該板材の裏面側に向けて１５〜６０°の範囲の角度で傾斜する第１の傾斜面と、第１の傾斜面に連接し該板材の表面側から該板材の裏面側に向けて第１の傾斜面と同方向に５〜４５°の範囲の角度で傾斜する第２の傾斜面との上側の空間により形成される第１の凹溝部と、
第１、第２の両傾斜面と、該両傾斜面に対向し該板材の表面側から該板材の裏面側に向けて第１の傾斜面と逆方向に５〜４５°の範囲の角度で傾斜する第３の傾斜面とに挟まれる部分により形成される第１の凸条部と、
第３の傾斜面と、第３の傾斜面に対向し該板材の表面側から該板材の裏面側に向けて第１の傾斜面と同方向に５〜４５°の範囲の角度で傾斜する第４の傾斜面とに挟まれる空間により形成される第２の凹溝部と、
第４の傾斜面と、第４の傾斜面に対向し該板材の表面側から該板材の裏面側に向けて第１の傾斜面と逆方向に５〜４５°の範囲の角度で傾斜する第５の傾斜面とに挟まれる部分により形成される第２の凸条部と、
第５の傾斜面の下側の空間により形成される第３の凹溝部とを備える第１の板材と、
板材の表面と、該板材の表面側から該板材の裏面側に向けて第１の傾斜面と同方向に、第１の傾斜面よりも小さな角度で傾斜する第６の傾斜面と、第６の傾斜面に連接し該板材の表面側から該板材の裏面側に向けて第６の傾斜面と同方向に、第２の傾斜面よりも小さな角度で傾斜する第７の傾斜面とに挟まれる部分により形成され、第１の凹溝部に噛合される第３の凸条部と、
第６、第７の両傾斜面と、該両傾斜面に対向し該板材の表面側から該板材の裏面側に向けて第６の傾斜面と逆方向に５〜４５°の範囲の角度で傾斜する第８の傾斜面とに挟まれる空間により形成され、第１の凸条部が噛合される第４の凹溝部と、
第８の傾斜面と、第８の傾斜面に対向し該板材の表面側から該板材の裏面側に向けて第６の傾斜面と同方向に５〜４５°の範囲の角度で傾斜する第９の傾斜面とに挟まれる部分により形成され、第２の凹溝部に噛合される第４の凸条部と、
第９の傾斜面と、該傾斜面に対向し該板材の表面側から該板材の裏面側に向けて第６の傾斜面と逆方向に５〜４５°の範囲の角度で傾斜する第１０の傾斜面とに挟まれる空間により形成され、第２の凸条部が噛合される第５の凹溝部と、
第１０の傾斜面と、該板材の裏面とに挟まれる部分により形成され、第４の凸条部の先端部から４〜２５ｍｍの範囲の長さで該板材の幅方向に延在し、第３の凹溝部に噛合される第５の凸条部とを備え、第５の凸条部は先端部が該板材の１／５〜１／２の範囲の厚さを備える第２の板材とからなることを特徴とする請求項１記載のフローリング用板材。
【請求項４】
第３の凸条部は、第１の凹溝部に噛合されたときに、第１の傾斜面との間に装飾溝部を形成する面取り部を備えることを特徴とする請求項２または請求項３記載のフローリング用板材。
【請求項５】
前記第１、第２の板材は、それぞれ一方の端部に前記複数の凹溝部を備え、他方の端部に前記複数の凸状部を備えることを特徴とする請求項１乃至請求項４のいずれか１項記載のフローリング用板材。
【発明の詳細な説明】
【技術分野】
【０００１】
本発明は、フローリング用板材に関するものである。
【背景技術】
【０００２】
従来、図６（ａ）に示すように、相互に隣接する一方の板材１１１ａに単一の凹溝部（雌実）１１２を形成すると共に、他方の板材１１１ｂに単一の凸条部（雄実）１１３を形成したフローリング用板材１１４が知られている。フローリング用板材１１４を施工する際には、凸条部１１３の基端部上側から下地材に釘１１５等を打ち込んで板材１１１ｂを下地材に固定すると共に、図６（ａ）に仮想線で示すように、板材１１１ａの凹溝部１１２を板材１１１ｂの凸条部１１３に噛合させることにより、板材１１１ａ，１１１ｂを突き合わせた状態で接合する。
【０００３】
前記フローリング用板材１１４は施工直後には整然とした接合状態を呈するものの、経時的に含水率が変化すると、収縮あるいは膨張し、接合部１１６に問題を生じる。即ち、前記フローリング用板材１１４は乾燥した環境下では含水率の低下により、図６（ｂ）に矢示するように収縮して接合部１１６に間隙Ｓを生じ、間隙Ｓに堆積した埃や釘１１５等が露見して美観を損ねる。一方、前記フローリング用板材１１４は高湿度の環境下では含水率の増加により膨張し、図６（ｃ）に矢示するように接合部１１６が水平面Ｌから浮き上がる突き上げ１１７を生じ、美観を損ねるばかりか、歩行の障害となることもある。前記接合部１１６に生じる問題は、特に床暖房を行う場合に顕著である。
【０００４】
そこで、前記木材の膨張により生じる接合部１１６の突き上げ１１７を防止するために、前記接合部１１６に予め間隙を設けておき、該膨張を吸収するようにすることが考えられる。ところが、前記接合部１１６に予め間隙を設けると、釘１１５により固定されていない凹溝部１１２側でガタツキや段差が生じやすい。
【０００５】
前記接合部１１６に予め間隙を設ける場合の前記問題を解決するために、例えば、図７（ａ）に示すように、板材１２１ａに単一の凹溝部１２２を形成すると共に、板材１２１ｂに単一の凸条部１２３を形成したフローリング用板材１２４において、板材１２１ｂの凸条部１２３の上側に、凸条部１２３の先端部から板材１２１ｂの表面に向けて次第に隆起する傾斜面１２５ａを形成すると共に、板材１２１ａの凹溝部１２２の上側に、傾斜面１２５ａに対応する形状を備え凹溝部１２２の基端部と板材１２１ａの表面とを接続する傾斜面１２５ｂを形成したものが提案されている（例えば特許文献１参照）。
【０００６】
前記フローリング用板材１２４は、凹溝部１２２の下面１２６から下地材に釘１２７等を打ち込むことにより、板材１２１ａが下地材に固定される。また、図７（ａ）に仮想線示するように、板材１２１ａ，１２１ｂを接合したときに、凹溝部１２２の下面１２６の先端部１２６ａと、凸条部１２３の基端部１２３ａとの間に間隙Ｓが形成されるようになっている。前記フローリング用板材１２４は、板材１２１ａ，１２１ｂを接合したときには、傾斜面１２５ａ，１２５ｂが密着するので、板材１２１ａ，１２１ｂを水平方向、垂直方向共にガタツキ無く緊密に接合できるとされている。
【０００７】
しかしながら、前記フローリング用板材１２４は、図７（ｂ）に矢示するように、板材１２１ｂが板材１２１ａ方向に食い込み過ぎると、楔状の凸条部１２３が凹溝部１２２に圧入されて凹溝部１２２上側の傾斜面１２５ｂの先端１２８が上方に捲れ上がるという不都合がある。また、板材１２１ａ，１２１ｂの接合が緩いと、図７（ｃ）に矢示するように、固定されていない凸条部１２３が浮き上がり接合部１２９に段差１３０が形成されるという不都合がある。
【０００８】
一方、前記木材の膨張により図６（ｂ）に示す接合部１１６に間隙Ｓを生じる問題を解決するために、図８（ａ）に示すように、板材１３１ａに単一の凹溝部１３２を形成すると共に、板材１３１ｂに単一の凸条部１３３を形成したフローリング用板材１３４において、板材１３１ｂの凸条部１３３の基端部上側から板材１３１ｂの表面に向けて次第に隆起する傾斜面１３５ａを形成すると共に、傾斜面１３５ａに対応する形状を備え板材１３１ａの凹溝部１３２の先端部と板材１３１ａの表面とを接続する傾斜面１３５ｂを形成したものが提案されている（例えば特許文献２参照）。
【０００９】
前記フローリング用板材１３４によれば、図８（ｂ）に矢示するように、板材１３１ａ，１３１ｂが収縮しても、傾斜面１３５ｂが傾斜面１３５ａの上方に位置しているので、凸条部１３３の上側基端部から下地材に打ち込まれた釘１３６等が露見することがなく、また接合部１３７に生じる間隙Ｓを目立たなくすることができるとされている。
【００１０】
しかしながら、前記フローリング用板材１３４は、膨張したときには、図８（ｃ）に矢示するように、接合部１３７が水平面Ｌから浮き上がる突き上げ１３８を生じるという不都合がある。
【特許文献１】特開２０００−１７８１４号公報
【特許文献２】特開２００１−３１１２９８号公報
【発明の開示】
【発明が解決しようとする課題】
【００１１】
本発明は、かかる不都合を解消して、施工時には整然とした接合部を形成することができ、経時的に収縮または膨張しても前記接合部に問題を生じることのないフローリング用板材を提供することを目的とする。
【課題を解決するための手段】
【００１２】
かかる目的を達成するために、本発明は、端部に凹溝部を備える第１の板材と、端部に凸条部を備える第２の板材とからなり、第１の板材の凹溝部に第２の板材の凸条部を噛合させることにより両板材を突き合わせて接合するフローリング用板材において、複数の凹溝部を備える第１の板材と、各凹溝部に噛合される複数の凸条部を備える第２の板材とからなり、第１の板材は該板材の表面に連接し、該表面側から該板材の裏面側に向けて所定の角度で傾斜する第１の傾斜面を備え、第１の板材の前記凹溝部の１つは、第１の傾斜面の上側の空間により形成されており、第２の板材は該板材の表面側から該板材の裏面側に向けて前記所定の角度よりも小さな角度で傾斜する第２の傾斜面を備え、第２の板材の前記凸条部の１つは、該板材の表面と第２の傾斜面とに挟まれる部分により形成され、第１の板材の第１の傾斜面の上側の空間により形成された凹溝部に噛合されることを特徴とする。
【００１３】
本発明のフローリング用板材によれば、第１の板材の端部に形成された複数の凹溝部を、第２の板材の端部に形成された複数の凸条部に噛合させるので、水平方向、垂直方向共にガタツキが無く、段差も無い整然とした接合部を形成することができる。
【００１４】
ところで、フローリング用板材は、厚さが３〜３０ｍｍ程度と薄いため、その端部に複数の凹溝部、凸条部を形成すると、所望の強度が得られないことがある。例えば、図５に示すように、端部に複数の凹溝部１０１ａ、１０１ｂを備える第１の板材１０２ａと、端部に複数の凸条部１０３ａ、１０３ｂを備える第２の板材１０２ｂとを、凹溝部１０１ａ、１０１ｂを凸条部１０３ａ、１０３ｂに噛合させて接合する際に、凸条部１０３ａの基端部から下地材に釘１０４を打ち込むと、該凸条部１０３ａが折れたり、割れたりする。
【００１５】
そこで、本発明のフローリング用板材において、第１の板材は前記第１の傾斜面を備え、第１の板材の前記凹溝部の１つは、第１の傾斜面の上側の空間により形成されており、第２の板材は前記第２の傾斜面を備え、第２の板材の前記凸条部の１つは、該板材の表面と第２の傾斜面とに挟まれる部分により形成されている。前記構成とすることにより、第１の傾斜面の下側の部分の強度を確保することができる。
【００１６】
また、本発明のフローリング用板材では、第２の板材の表面と第２の傾斜面とに挟まれる部分により形成される前記凸条部が、第１の板材の第１の傾斜面の上側の空間により形成された凹溝部に噛合されて接合部を形成する。従って、第１の傾斜面の上側には第２の傾斜面を備える前記凸条部があり、第１、第２の板材が経時的に収縮して前記接合部に間隙が生じたとしても、該間隙を目立たなくすることができる。
【００１７】
さらに、本発明のフローリング用板材では、第２の傾斜面は、第１の傾斜面よりも板材表面に対する角度が小さく形成されているので、第２の板材の表面と第２の傾斜面とに挟まれる部分により形成される前記凸条部が、第１の板材の第１の傾斜面の上側の空間により形成される前記凹溝部に噛合されたときに、少なくとも第１、第２の両傾斜面間に間隙が形成される。従って、第１、第２の板材が経時的に膨張したときには、前記間隙により該膨張を吸収することができ、前記接合部に突き上げが生じることを防止することができる。
【００１８】
本発明のフローリング用板材の第１の形態は、例えば、板材の表面に連接し該表面側から該板材の裏面側に向けて１５〜６０°の範囲の角度で傾斜する第１の傾斜面の上側の空間により形成される第１の凹溝部と、第１の傾斜面と、第１の傾斜面に対向し該表面と平行な第１の非傾斜面とに挟まれる部分により形成される第１の凸条部と、第１の非傾斜面と、第１の非傾斜面に対し所定の間隔を存して該表面と平行に形成された第２の非傾斜面とに挟まれる空間により形成される第２の凹溝部と、第２の非傾斜面と、該板材の裏面とに挟まれる部分により形成され、該板材の１／４〜１／２の範囲の厚さを備え、かつ、第１の凸条部の先端部から４〜２５ｍｍの範囲の長さで該板材の幅方向に延在する第２の凸条部とを備える第１の板材と、板材の表面と、該板材の表面側から該板材の裏面側に向けて第１の傾斜面と同方向に、第１の傾斜面よりも小さな角度で傾斜する第２の傾斜面とに挟まれる部分により形成され、第１の凹溝部に噛合される第３の凸条部と、第２の傾斜面と、第２の傾斜面に対向し該表面側から該板材の裏面側に向けて第１の傾斜面と逆方向に１〜５°の範囲の角度で傾斜する第３の傾斜面とに挟まれる空間により形成されて第１の凸条部が噛合される第３の凹溝部と、第３の傾斜面と、第３の傾斜面に対向し該表面と平行な第３の非傾斜面とに挟まれる部分により形成されて第２の凹溝部に噛合される第４の凸条部と、第３の非傾斜面の下側の空間により形成され、第２、第３の両非傾斜面間に間隔を存して、第２の凸条部が噛合される第４の凹溝部とを備える第２の板材とからなる。
【００１９】
前記構成のフローリング用板材によれば、第１の板材の１／４〜１／２の範囲の厚さを備える第２の凸条部の、第１の凸条部の先端部から４〜２５ｍｍの範囲の長さで該板材の幅方向に延在する部分を、下地材に釘を打ち込む釘打ち部として利用することができるので、他の凸条部の強度を確保する上で有利である。このとき、第２の凸条部は、第１の板材の１／４未満の厚さでは釘打ち部として所要の強度が得られないことがあり、１／２を超える厚さとすると、第１の凸条部等の他の構成に所要の強度を確保できなくなることがある。また、第２の凸条部は、第１の凸条部の先端部から第１の板材の幅方向に延在する部分の長さが４ｍｍ未満ではこの部分に釘を打ちにくく、また２５ｍｍを超える長さとしてもそれ以上の効果は得られない。
【００２０】
また、前記構成のフローリング用板材によれば、第１、第２の両傾斜面間の他、第１の非傾斜面と第３の傾斜面との間、第２、第３の傾斜面の間にも、間隙を確保することができ、第１、第２の板材が経時的に膨張したときに、その膨張を吸収することができる。
【００２１】
また、本発明のフローリング用板材の第２の形態は、例えば、板材の表面に連接し該表面側から該板材の裏面側に向けて１５〜６０°の範囲の角度で傾斜する第１の傾斜面と、第１の傾斜面に連接し該板材の表面側から該板材の裏面側に向けて第１の傾斜面と同方向に５〜４５°の範囲の角度で傾斜する第２の傾斜面との上側の空間により形成される第１の凹溝部と、第１、第２の両傾斜面と、該両傾斜面に対向し該板材の表面側から該板材の裏面側に向けて第１の傾斜面と逆方向に５〜４５°の範囲の角度で傾斜する第３の傾斜面とに挟まれる部分により形成される第１の凸条部と、第３の傾斜面と、第３の傾斜面に対向し該板材の表面側から該板材の裏面側に向けて第１の傾斜面と同方向に５〜４５°の範囲の角度で傾斜する第４の傾斜面とに挟まれる空間により形成される第２の凹溝部と、第４の傾斜面と、第４の傾斜面に対向し該板材の表面側から該板材の裏面側に向けて第１の傾斜面と逆方向に５〜４５°の範囲の角度で傾斜する第５の傾斜面とに挟まれる部分により形成される第２の凸条部と、第５の傾斜面の下側の空間により形成される第３の凹溝部とを備える第１の板材と、板材の表面と、該板材の表面側から該板材の裏面側に向けて第１の傾斜面と同方向に、第１の傾斜面よりも小さな角度で傾斜する第６の傾斜面と、第６の傾斜面に連接し該板材の表面側から該板材の裏面側に向けて第６の傾斜面と同方向に、第２の傾斜面よりも小さな角度で傾斜する第７の傾斜面とに挟まれる部分により形成され、第１の凹溝部に噛合される第３の凸条部と、第６、第７の両傾斜面と、該両傾斜面に対向し該板材の表面側から該板材の裏面側に向けて第６の傾斜面と逆方向に５〜４５°の範囲の角度で傾斜する第８の傾斜面とに挟まれる空間により形成され、第１の凸条部が噛合される第４の凹溝部と、第８の傾斜面と、第８の傾斜面に対向し該板材の表面側から該板材の裏面側に向けて第６の傾斜面と同方向に５〜４５°の範囲の角度で傾斜する第９の傾斜面とに挟まれる部分により形成され、第２の凹溝部に噛合される第４の凸条部と、第９の傾斜面と、該傾斜面に対向し該板材の表面側から該板材の裏面側に向けて第６の傾斜面と逆方向に５〜４５°の範囲の角度で傾斜する第１０の傾斜面とに挟まれる空間により形成され、第２の凸条部が噛合される第５の凹溝部と、第１０の傾斜面と、該板材の裏面とに挟まれる部分により形成され、第４の凸条部の先端部から４〜２５ｍｍの範囲の長さで該板材の幅方向に延在し、第３の凹溝部に噛合される第５の凸条部とを備え、第５の凸条部は先端部が該板材の１／５〜１／２の範囲の厚さを備える第２の板材とからなる。
【００２２】
前記構成のフローリング用板材によれば、第５の凸条部の上面であり、第４の凸条部の先端部から４〜２５ｍｍの範囲の長さで該板材の幅方向に延在する第１０の傾斜面を、下地材に釘を打ち込む釘打ち部として利用することができる。ここで、第５の凸条部は、その先端部が第１の板材の１／５〜１／２の範囲の厚さを備えるので、基端部側ではさらに厚くなり、前記釘打ち部として十分な強度を確保することができる。また、第５の凸条部は、その先端部が前記範囲の厚さを備えるので、他の凸条部の強度を確保する上で有利である。
【００２３】
第５の凸条部は、その先端部が第１の板材の１／５未満の厚さでは、基端部側でも釘打ち部として所要の強度が得られないことがあり、１／２を超える厚さとすると、第４の凸条部等の他の構成に所要の強度を確保できなくなることがある。また、第５の凸条部は、第４の凸条部の先端部から第１の板材の幅方向に延在する部分の長さが４ｍｍ未満ではこの部分に釘を打ちにくく、また２５ｍｍを超える長さとしてもそれ以上の効果は得られない。
【００２４】
また、前記構成のフローリング用板材によれば、第１の板材の端部に第１〜第３の凹溝部と、第１、第２の凸条部とを形成すると共に、第２の板材の端部に第４、第５の凹溝部と、第３〜第５の凸条部とを形成し、前記第１の形態に比較して噛合する部分の数を増加したので、第１、第２の板材をさらに緊密に接合することができ、該板材の厚さ方向のずれを低減することができる。また、前述のように噛合する部分の数を増加することにより、位置矯正または位置決めする接点が増加するので、加工精度に対する許容度を増大させることができる。
【００２５】
また、前記構成のフローリング用板材によれば、第１〜第５の凸条部をそれぞれ少なくとも１つの傾斜面により形成しているので該凸条部の先端が尖頭形状となり、第１〜第５の凸条部が第１〜第５の凹溝部の奥まで容易に進入することができる。従って、第１、第２の板材が膨張したときにも前記接合部に突き上げを生じ難くすることができる。このとき、第２の板材の第６〜第１０の傾斜面の角度は、第１の板材の第１〜第５の傾斜面の角度よりも小さくされているので、第１の板材に形成されている第１、第２の凸条部が、第２の板材に形成されている第４、第５の凹溝部に深く侵入するほど、該凸条部の基端部が緊く締め付けられ、第１、第２の板材のガタツキを低減することができる。
【００２６】
また、本発明のフローリング用板材において、第３の凸条部は、第１の凹溝部に噛合されたときに、第１の傾斜面との間に装飾溝部を形成する面取り部を備えるものであってもよい。前記第３の凸条部は、前記面取り部を備えることにより、前記装飾溝部を形成することができると共に、該面取り部が第１の傾斜面の途中に当接することになるので、各凸条部と各凹溝部との噛合の程度を規制して、第１、第２、第４の各凸条部の先端部と、第２〜第４の各凹溝部の基端部との間に間隙を確保することができる。この結果、前記構成のフローリング用板材によれば、第１、第２の板材が経時的に膨張したときに、その膨張をさらに有利に吸収することができる。
【００２７】
また、本発明のフローリング用板材において、前記第１、第２の板材は、それぞれ一方の端部に前記複数の凹溝部を備え、他方の端部に前記複数の凸状部を備えることが好ましい。前記構成のフローリング用板材によれば、１枚の板材の一方の端部に前記第１の板材としての機能を付与すると共に、他方の端部には前記第２の板材としての機能を付与することができる。
【００２８】
従って、一つのフローリング用板材の前記第１の板材としての機能を有する端部には、他のフローリング用板材の前記第２の板材としての機能を有する端部を接合し、前記第２の板材としての機能を有する端部には、さらに他のフローリング用板材の前記第１の板材としての機能を有する端部を接合するというようにして、同一形状の多数のフローリング用板材を相互に接合して連結することができる。
【発明を実施するための最良の形態】
【００２９】
次に、添付の図面を参照しながら本発明の実施の形態についてさらに詳しく説明する。図１は本実施形態の第１の形態のフローリング用板材の端部の構成を示す説明的断面図であり、図２は図１に示すフローリング用板材の全体の構成を示す説明的断面図である。また、図３は本実施形態の第２の形態のフローリング用板材の端部の構成を示す説明的断面図であり、図４は図３に示すフローリング用板材の全体の構成を示す説明的断面図である。
【００３０】
図１（ａ）に示すように、本実施形態の第１の形態のフローリング用板材１は、第１の板材２ａと第２の板材２ｂとからなる。第１の板材２ａと第２の板材２ｂとは、例えば、３〜３０ｍｍの範囲の同一の厚さＤを備える薄板であり、下地材上で接合したときにそれぞれの板材表面３ａ，３ｂが面一となってフローリングを形成するようになっている。
【００３１】
次に、板材２ａ，２ｂの構成について説明する。
【００３２】
前記第１の板材２ａは、第２の板材２ｂに対向する端部に、板材表面３ａに連接し、板材表面３ａから板材２ａの裏面側に向けて角度θ１で傾斜する第１傾斜面４を備えている。第１傾斜面４の板材表面３ａに対する角度θ１は、１５〜６０°の範囲で設定することができ、例えば４５°とされている。この結果、第１傾斜面４の上側の空間により第１凹溝部５が形成されており、第１凹溝部５は板材表面３ａ側と、第２の板材２ｂ方向とに開口している。
【００３３】
第１傾斜面４の先端部は第１垂直面６となっており、第１傾斜面４は第１垂直面６を介して、板材表面３ａと平行な第１非傾斜面７に接続されている。第１非傾斜面７は、第１垂直面６から板材２ａの内方に向かって、第１傾斜面４に対向して形成されている。この結果、第１非傾斜面７と第１傾斜面４とに挟まれる部分に第１凸条部８が形成されている。即ち、第１凸条部８は、第１傾斜面４、第１垂直面６、第１非傾斜面７からなり、第２の板材２ｂ方向に突出している。
【００３４】
第１非傾斜面７の基端部は、第１曲面部９を介して第２垂直面１０に接続しており、第２垂直面１０は、第２曲面部１１を介して、板材表面３ａと平行な第２非傾斜面１２に接続されている。第２非傾斜面１２は、板材２ａの幅方向に沿って、第１非傾斜面７に対向して形成されており、第１非傾斜面７との間に、第１曲面部９、第２垂直面１０、第２曲面部１１に相当する間隔を存して形成されている。この結果、第１非傾斜面７と第２非傾斜面１２とに挟まれる空間により第２凹溝部１３が形成されている。即ち、第２凹溝部１３の外縁は、第１非傾斜面７、第１曲面部９、第２垂直面１０、第２曲面部１１、第２非傾斜面１２からなり、第２凹溝部１３は第２の板材２ｂ方向に開口している。
【００３５】
第２非傾斜面１２は、第１凸条部８の先端部である第１垂直面６の直下の位置からさらに長さＬだけ板材２ａの幅方向に延在して形成されており、先端部で第３垂直面１４を介して板材裏面１５に接続されている。この結果、第２非傾斜面１２と板材裏面１５とに挟まれる部分により第２凸条部１６が形成されている。即ち、第２凸条部１６は、第２非傾斜面１２、第３垂直面１４、板材裏面１５からなり、第２の板材２ｂ方向に突出している。
【００３６】
ここで、第２非傾斜面１２の板材２ａの幅方向に延在する長さＬは、４〜２５ｍｍの範囲で設定することができ、例えば５ｍｍとされている。また、第２凸条部１６の厚さｄは、板材２ａの厚さＤに対して、１／４〜１／２の範囲で設定することができ、例えば板材２ａの厚さＤの１／３弱とされている。
【００３７】
次に、第２の板材２ｂは、第１の板材２ａに対向する端部に、板材表面３ｂ側から板材２ｂの裏面側に向けて、第１傾斜面４と同方向に角度θ２で傾斜する第２傾斜面１７を備えている。第２傾斜面１７の板材表面３ｂに対する角度θ２は、第１傾斜面４の板材表面３ａに対する角度θ１よりも小さな角度に設定され、例えば３９°とされている。この結果、板材表面３ｂと第２傾斜面１７とに挟まれる部分により第３凸条部１８が形成されている。
【００３８】
ここで、第３凸条部１８は、その先端部の一部を切除して形成された面取り部１９を備えている。面取り部１９は、板材表面３ｂから板材２ｂの裏面側に向けて、第２傾斜面１７と逆方向に角度θ３で傾斜する傾斜面として形成されており、板材表面３ｂに対する角度θ３は、例えば４５°に設定される。
【００３９】
即ち、第３凸条部１８は、板材表面３ｂ、面取り部１９、第２傾斜面１７からなり、第１の板材２ａ方向に突出している。
【００４０】
第２傾斜面１７の基端部は第４垂直面２０となっており、第２傾斜面１７は第４垂直面２０を介して、第３傾斜面２１に接続されている。第３傾斜面２１は、板材表面３ｂ側から板材２ｂの裏面側に向けて、第２傾斜面１７と逆方向に角度θ４で傾斜しており、第２傾斜面１７に対向して形成されている。第３傾斜面２１の板材表面３ｂに対する角度θ４は、１〜５°の範囲で設定することができ、例えば３°とされている。
【００４１】
この結果、第２傾斜面１７と、第３傾斜面２１とに挟まれる空間により、第３凹溝部２２が形成されている。即ち、第３凹溝部２２は、第２傾斜面１７、第４垂直面２０、第３傾斜面２１からなり、第１の板材２ａ方向に開口している。
【００４２】
第３傾斜面２１は、第３曲面部２３を介して第５垂直面２４に接続されており、第５垂直面２４は、第４曲面部２５を介して、板材表面３ｂに平行な第３非傾斜面２６に接続されている。ここで、第５垂直面２４は、第３凸条部１８における第２傾斜面１７と面取り部１９とが形成する角部１７ａの直下に形成されている。また、第３非傾斜面２６は、板材２ｂの幅方向に沿って、第３傾斜面２１に対向して形成されている。この結果、第３傾斜面２１と第３非傾斜面２６とに挟まれる部分により第４凸条部２７が形成されている。即ち、第４凸条部２７は、第３傾斜面２１、第３曲面部２３、第５垂直面２４、第４曲面部２５、第３非傾斜面２６からなり、第１の板材２ａ方向に突出している。
【００４３】
第３非傾斜面２６の基端部は、第４傾斜面２８を介して第６垂直面２９に接続されており、第６垂直面２９は、その下端部で板材裏面３０に接続されている。この結果、第３非傾斜面２６の下側の空間により、第４凹溝部３１が形成されており、第４凹溝部３１は板材裏面３０側と、第１の板材２ａ方向とに開口している。
【００４４】
ここで、第３非傾斜面２６の板材裏面３０に対する高さｈは、第２凸条部１６の厚さｄよりも大になるように設定されており、例えば第２の板材３ｂの厚さＤの１／３とされている。また、第４傾斜部２８は、板材表面３ｂ側から板材裏面３０側に向けて、第２傾斜面１７と同方向に角度θ５で傾斜して形成されている。第４傾斜部２８の板材表面３ｂに対する角度θ５は例えば４５°とされている。
【００４５】
次に、板材２ａ，２ｂの接合について説明する。
【００４６】
板材２ａ，２ｂを相互に接合する場合には、図１（ｂ）に示すように、まず、第１の板材２ａの第２凸条部１６において、第１凸条部８の先端部である垂直面６の直下からさらに板材２ａの幅方向に延在する部分に釘３２を打ち込むことにより、板材２ａを下地材に固定する。そして、板材２ａの第１凸条部８、第２凸条部１６に、板材２ｂの第３凹溝部２２，第４凹溝部３１を、それぞれ噛合させると共に、板材２ｂの第３凸条部１８、第４凸条部２７を、板材２ａの第１凹溝部５、第２凹溝部１３に、それぞれ噛合させる。
【００４７】
このようにすると、第３凸条部１８の先端部である角部１７ａが第１傾斜面４に当接すると共に、第１凸条部８の先端部である第１垂直面６の下端部が第３傾斜面２１に当接し、第２凸条部１６の先端部である第３垂直面１４の上端部が第４傾斜面２８に当接する。この結果、板材２ａ，２ｂが水平方向、垂直方向で位置決めされ、ガタツキの無い優れた施工精度を得ることができる。従って、第１の形態のフローリング用板材１によれば、施工時には整然とした接合部を形成することができ、板材表面３ａ，３ｂが面一となって、段差の無いフローリングを形成することができる。
【００４８】
尚、このとき、第１傾斜面４と面取り部１９とにより装飾溝部３３が形成される。
【００４９】
また、このようにするときには、第１傾斜面４、第１垂直面６と、第２傾斜面１７、第４垂直面２０との間に間隙Ｓ１が形成され、第１非傾斜面７、第１曲面部９、第２垂直面１０、第２曲面部１１、第２非傾斜面１２と、第３傾斜面２１、第３曲面部２３、第５垂直面２４、第４曲面部２５、第３非傾斜面２６との間に間隙Ｓ２が形成され、第３垂直面１４と第６垂直面２９との間に間隙Ｓ３が形成される。
【００５０】
間隙Ｓ１は、第２傾斜面１７の板材表面３ｂに対する角度θ２が、第１傾斜面４の板材表面３ａに対する角度θ１よりも小さなことと、角部１７ａが第１傾斜面４に当接する結果として第１凸条部８と第３凹溝部２２との噛合が規制されることとにより形成されるものである。また、間隙Ｓ２は、第３傾斜部２１が板材表面３ｂに対して角度θ４で傾斜していることと、第１垂直面６の下端部が第３傾斜面２１に当接する結果として第４凸条部２７と第２凹溝部１３との噛合が規制されることと、第３非傾斜面２６の板材裏面３０に対する高さｈが第２凸条部１６の厚さｄよりも大であることとにより形成されるものである。さらに、間隙Ｓ３は、第３垂直面１４の上端部が第４傾斜面２８に当接する結果として、第２凸条部１６と第４凹溝部３１との噛合が規制されることによるものである。
【００５１】
第１の形態のフローリング用板材１によれば、板材２ａ，２ｂを接合したときに、内部に前記間隙Ｓ１，Ｓ２，Ｓ３が形成されるので、板材２ａ，２ｂが経時的に吸湿して膨張したとしても、該膨張を間隙Ｓ１，Ｓ２，Ｓ３で吸収することができ、接合部における突き上げを防止することができる。
【００５２】
また、第１の形態のフローリング用板材１によれば、第１傾斜面４の上側の空間を第１凹溝部５とし、下面側が第２傾斜面１７となっている第３凸条部１８を第１凹溝部５に噛合させるようにしている。従って、板材２ａ，２ｂが経時的に乾燥して収縮し、第１傾斜面４と角部１７ａとの間に間隙を生じてたとしても、第１傾斜面４が露見するに過ぎず、第１傾斜面４と角部１７ａとの間隙を目立たなくすることができる。
【００５３】
第１の形態のフローリング用板材１では、第１の板材２ａは両端部に第１凹溝部５、第１凸条部８、第２凹溝部１３、第２凸条部１６を備えるものとし、第２の板材２ｂは両端部に第３凸条部１８、第３凹溝部２２、第４凸条部２７、第４凹溝部３１を備えるものとして、板材２ａ，２ｂを交互に接続するようにしてもよい。しかし、このようにするときには、フローリングを形成するために、第１の板材２ａ、第２の２ｂという２種類の材料が必要になる。
【００５４】
そこで、第１の形態のフローリング用板材１は、図２に示すように、一方の端部１ａに第１凹溝部５、第１凸条部８、第２凹溝部１３、第２凸条部１６を形成して第１の板材２ａの機能を付与し、他方の端部１ｂに第３凸条部１８、第３凹溝部２２、第４凸条部２７、第４凹溝部３１を形成して第２の板材２ｂの機能を付与してもよい。
【００５５】
このようにするときには、一つのフローリング用板材１の第１の板材２ａとしての機能を有する端部１ａには、他のフローリング用板材１の第２の板材２ｂとしての機能を有する端部１ｂを接合し、第２の板材２ｂとしての機能を有する端部１ｂには、さらに他のフローリング用板材１の第１の板材２ａとしての機能を有する端部１ａを接合するというように、同一形状の多数のフローリング用板材１を相互に接合して連結することによりフローリングを形成することができる。
【００５６】
次に、図３（ａ）に示すように、本実施形態の第２の形態のフローリング用板材４１は、第１の板材４２ａと第２の板材４２ｂとからなる。第１の板材４２ａと第２の板材４２ｂとは、例えば、３〜３０ｍｍの範囲の同一の厚さＤを備える薄板であり、下地材上で接合したときにそれぞれの板材表面４３ａ，４３ｂが面一となってフローリングを形成するようになっている。
【００５７】
次に、板材４２ａ，４２ｂの構成について説明する。
【００５８】
前記第１の板材４２ａは、第２の板材４２ｂに対向する端部に、板材表面４３ａに連接し、板材表面４３ａから板材４２ａの裏面側に向けて角度θ６で傾斜する第１傾斜面４４を備えている。第１傾斜面４４の板材表面４３ａに対する角度θ６は、１５〜６０°の範囲で設定することができ、例えば４５°とされている。第１傾斜面４４は第２傾斜面４５に連接しており、第２傾斜面４５は、板材表面４３ａ側から板材４２ａの裏面側に向けて、第１傾斜面４４と同方向に角度θ７で傾斜している。第２傾斜面４５の板材表面４３ａに対する角度θ７は、５〜４５°の範囲で設定することができ、例えば１５°とされている。この結果、第１傾斜面４４と第２傾斜面４５との上側の空間により第１凹溝部４６が形成されており、第１凹溝部４６は板材表面４３ａ側と、第２の板材４２ｂ方向とに開口している。
【００５９】
第２傾斜面４５の先端部は第１垂直面４７となっており、第１垂直面４７はその下端部で、第３傾斜面４８に接続している。第３傾斜面４８は、板材表面４３ａ側から板材４２ａの裏面側に向けて、第１傾斜面４４と逆方向に角度θ８で傾斜している。第３傾斜面４８の板材表面４３ａに対する角度θ８は、５〜４５°の範囲で設定することができ、例えば１５°とされている。この結果、第１傾斜面４４、第２傾斜面４５と、第３傾斜面４８とに挟まれた部分に第１凸条部４９が形成されている。即ち、第１凸条部４９は、第１傾斜面４４、第２傾斜面４５、第１垂直面４７、第３傾斜面４８からなり、第２の板材４２ｂ方向に突出している。
【００６０】
第３傾斜面４８の基端部は第２垂直面５０に接続しており、第２垂直面５０はその下端部で第４傾斜面５１に接続している。第４傾斜面５１は、板材表面４３ａ側から板材４２ａの裏面側に向けて、第１傾斜面４４と同方向に角度θ９で傾斜している。第４傾斜面５１の板材表面４３ａに対する角度θ９は、５〜４５°の範囲で設定することができ、例えば１５°とされている。この結果、第３傾斜面４８と第４傾斜面５１とに挟まれる空間により第２凹溝部５２が形成されている。即ち、第２凹溝部５２の外縁は、第３傾斜面４８、第２垂直面５０、第４傾斜面５１からなり、第２凹溝部５２は第２の板材４２ｂ方向に開口している。
【００６１】
第４傾斜面５１の先端部は第３垂直面５３に接続しており、第３垂直面５３は第１垂直面４７の直下に位置し、その下端部で第５傾斜面５４に接続している。第５傾斜面５４は、板材表面４３ａ側から板材４２ａの裏面側に向けて、第１傾斜面４４と逆方向に角度θ１０で傾斜している。第５傾斜面５４の板材表面４３ａに対する角度θ１０は、５〜４５°の範囲で設定することができ、例えば１５°とされている。この結果、第４傾斜面５１と第５傾斜面５４とに挟まれる部分により第２凸条部５５が形成されている。即ち、第２凸条部５５は、第４傾斜面５１、第３垂直面５３、第５傾斜面５４からなり、第２の板材４２ｂ方向に突出している。
【００６２】
第５傾斜面５４の基端部は第４垂直面５６に接続しており、第４垂直面５６はその下端部で板材裏面５７に接続している。この結果、第５傾斜面５４の下側の空間により第３凹溝部５８が形成されており、第３凹溝部５８は板材裏面５７側と、第２の板材４２ｂ方向とに開口している。
【００６３】
次に、第２の板材４２ｂは、第１の板材４２ａに対向する端部に、板材表面４３ｂ側から板材４２ｂの裏面側に向けて、第１傾斜面４４と同方向に角度θ１１で傾斜する第６傾斜面５９を備えている。第６傾斜面５９の板材表面４３ｂに対する角度θ１１は、第１傾斜面４４の板材表面３ａに対する角度θ６よりも５〜１５°小さな角度に設定され、例えば３８°とされている。第６傾斜面５９は第７傾斜面６０に連接しており、第７傾斜面６０は、板材表面４３ｂ側から板材４２ｂの裏面側に向けて、第６傾斜面５９と同方向に角度θ１２で傾斜している。第７傾斜面６０の板材表面４３ｂに対する角度θ１２は、第２傾斜面４５の板材表面４３ａに対する角度θ７よりも１〜５°小さな角度に設定され、例えば１１°とされている。この結果、板材表面４３ｂと、第６傾斜面５９、第７傾斜面６０とに挟まれる部分により第３凸条部６１が形成されている。
【００６４】
ここで、第３凸条部６１は、その先端部の一部を切除して形成された面取り部６２を備えている。面取り部６２は、板材表面４３ｂから板材４２ｂの裏面側に向けて、第６傾斜面５９と逆方向に角度θ１３で傾斜する傾斜面として形成されており、板材表面４３ｂに対する角度θ１３は、例えば４５°に設定される。
【００６５】
即ち、第３凸条部６１は、板材表面４３ｂ、面取り部６２、第６傾斜面５９、第７傾斜面６０からなり、第１の板材４２ａ方向に突出している。
【００６６】
第７傾斜面６０の基端部は第５垂直面６３に接続しており、第５垂直面６３はその下端部で第８傾斜面６４に接続している。第８傾斜面６４は、板材表面４３ｂ側から板材４２ｂの裏面側に向けて、第６傾斜面５９と逆方向に角度θ１４で傾斜している。第８傾斜面６４の板材表面４３ｂに対する角度θ１４は、第３傾斜面４８の板材表面４３ａに対する角度θ８よりも１〜５°小さな角度に設定され、例えば１１°とされている。この結果、第７傾斜面６０と第８傾斜面６４とに挟まれる空間により第４凹溝部６５が形成されている。即ち、第４凹溝部６５の外縁は、第７傾斜面６０、第５垂直面６３、第８傾斜面６４からなり、第４凹溝部６５は第１の板材４２ａ方向に開口している。
【００６７】
第８傾斜面６４の先端部は第６垂直面６６に接続しており、第６垂直面６６はその下端部で第９傾斜面６７に接続している。第９傾斜面６７は、板材表面４３ｂ側から板材４２ｂの裏面側に向けて、第６傾斜面５９と同方向に角度θ１５で傾斜している。第９傾斜面６７の板材表面４３ｂに対する角度θ１５は、第４傾斜面５１の板材表面４３ａに対する角度θ９よりも１〜５°小さな角度に設定され、例えば１１°とされている。この結果、第８傾斜面６４と第９傾斜面６７とに挟まれる部分により第４凸条部６８が形成されている。即ち、第４凸条部６８は、第８傾斜面６４、第６垂直面６６、第９傾斜面６７からなり、第１の板材４２ａ方向に突出している。
【００６８】
第９傾斜面６７の基端部は第７垂直面６９に接続しており、第７垂直面６９は第５垂直面６３の直下に位置し、その下端部で第１０傾斜面７０に接続している。第１０傾斜面７０は、板材表面４３ｂ側から板材４２ｂの裏面側に向けて、第６傾斜面５９と逆方向に角度θ１６で傾斜している。第１０傾斜面７０の板材表面４３ｂに対する角度θ１６は、第５傾斜面５４の板材表面４３ａに対する角度θ１０よりも１〜５°小さな角度に設定され、例えば１１°とされている。この結果、第９傾斜面６７と第１０傾斜面７０とに挟まれる空間により第５凹溝部７１が形成されている。即ち、第５凹溝部７１の外縁は、第９傾斜面６７、第６垂直面６９、第１０傾斜面７０からなり、第５凹溝部７１は第１の板材４２ａ方向に開口している。
【００６９】
第１０傾斜面７０は、第４凸条部６８の先端部である第６垂直面６６の直下の位置からさらに長さＬだけ板材４２ｂの幅方向に延在して形成されており、先端部で第８垂直面７２を介して板材裏面７３に接続されている。この結果、第１０傾斜面７０と板材裏面７３とに挟まれる部分により第５凸条部７４が形成されている。即ち、第５凸条部７４は、第１０傾斜面７０、第８垂直面７２、板材裏面７３からなり、第１の板材４２ａ方向に突出している。
【００７０】
ここで、第１０傾斜面７０の板材４２ｂの幅方向に延在する長さＬは、４〜２５ｍｍの範囲で設定することができ、例えば５ｍｍとされている。また、第５凸条部７４の先端部の厚さｄは、板材４２ｂの厚さＤに対して、１／５〜１／２の範囲で設定することができる。
【００７１】
次に、板材４２ａ，４２ｂの接合について説明する。
【００７２】
板材４２ａ，４２ｂを相互に接合する場合には、図３（ｂ）に示すように、まず、第２の板材４２ｂの第５凸条部７０において、第４凸条部６８の先端部である第６垂直面６６の直下からさらに板材４２ｂの幅方向に延在する部分に釘７５を打ち込むことにより、板材４２ｂを下地材に固定する。このとき、第５凸条部７０の先端部の厚さｄは、板材４２ｂの厚さＤの１／５〜１／２の範囲とされており、第５凸条部７０は基端部ほど厚さが増大するので、板材４２ｂの厚さＤの１／４以上となる部分に釘７５を打ち込むことにより、釘打ち部として十分な強度を確保することができる。そして、板材４２ａの第１凸条部４９、第２凸条部５５を、板材４２ｂの第４凹溝部６５、第５凹溝部７１に、それぞれ噛合させると共に、板材４２ｂの第３凸条部６１、第４凸条部６８、第５凸条部７４を、板材４２ａの第１凹溝部４６、第２凹溝部５２、第３凹溝部５８に、それぞれ噛合させる。
【００７３】
ここで、板材４２ｂ側の第６〜第１０の各傾斜面５９，６０，６４，６７，７０は、それぞれ対向する板材４２ａ側の第１〜第５の各傾斜面４４，４５，４８，５１，５４よりも小さい角度に形成されている。従って、前記のようにすると、板材４２ｂ側の面取り部６２と第６傾斜面５９とのなす角部が板材４２ａ側の第１傾斜面４４の途中に当接し、板材４２ｂ側の第６傾斜面５９と第７傾斜面６０との連接部が板材４２ａ側の第２傾斜面４５の途中に当接する。また、板材４２ｂ側の第４凸条部６８の先端部（第６垂直面６６の上下端部）が板材４２ａ側の第３傾斜面４８と第４傾斜面５１との途中に当接し、板材４２ｂ側の第５凸条部７４の先端部（第８垂直面７２の上端部）が板材４２ａ側の第５傾斜面５４の途中に当接する。この結果、板材４２ａ，４２ｂが水平方向、垂直方向で位置決めされ、ガタツキの無い優れた施工精度を得ることができる。従って、第２の形態のフローリング用板材４１によれば、施工時には整然とした接合部を形成することができ、板材表面４３ａ，４３ｂが面一となって、段差の無いフローリングを形成することができる。
【００７４】
尚、このとき、第１傾斜面４４と面取り部６２とにより装飾溝部７６が形成される。
【００７５】
また、前記のようにするときには、第４凹溝部６５に間隙Ｓ１、第２凹溝部５２に間隙Ｓ２、第５凹溝部７１に間隙Ｓ３、第３凹溝部５８に間隙Ｓ４が、それぞれ形成される。この結果、板材４２ａ，４２ｂが経時的に吸湿して膨張したとしても、該膨張を間隙Ｓ１，Ｓ２，Ｓ３，Ｓ４で吸収することができ、接合部における突き上げを防止することができる。板材４２ａ，４２ｂでは、前記突き上げを防止するために、間隙Ｓ４における第４垂直面５６と第８垂直面７２との間隔を、例えば１〜５ｍｍの範囲とすることが好ましい。
【００７６】
また、第２の形態のフローリング用板材４１では、面取り部６２は、板材表面４３ｂと反対側で第６傾斜面５９に接続しており、前述のように第６傾斜面５９は第１傾斜面４４よりも小さい角度に形成されている。従って、乾燥した環境下における含水率の低下により、図３（ｂ）に矢示するように、板材４２ａ，４２ｂが収縮して装飾溝部７６に間隙を生じたとしても、第１傾斜面４４に写る面取り部６２の影が小さくなり、優れた美観を得ることができる。
【００７７】
第２の形態のフローリング用板材４１では、第１の板材４２ａは両端部に第１凹溝部４６、第１凸条部４９、第２凹溝部５２、第２凸条部５５、第３凹溝部５８を備えるものとし、第２の板材４２ｂは両端部に第３凸条部６１、第４凹溝部６５、第４凸条部６８、第５凹溝部７１、第５凸条部７４を備えるものとして、板材４２ａ，４２ｂを交互に接続するようにしてもよい。しかし、このようにするときには、フローリングを形成するために、第１の板材４２ａ、第２の板材４２ｂという２種類の材料が必要になる。
【００７８】
そこで、第２の形態のフローリング用板材４１は、図４に示すように、一方の端部４１ａに第１凹溝部４６、第１凸条部４９、第２凹溝部５２、第２凸条部５５、第３凹溝部５８を形成して第１の板材４２ａの機能を付与し、他方の端部４１ｂに第３凸条部６１、第４凹溝部６５、第４凸条部６８、第５凹溝部７１、第５凸条部７４を形成して第２の板材４２ｂの機能を付与してもよい。
【００７９】
このようにするときには、一つのフローリング用板材４１の第１の板材４２ａとしての機能を有する端部４１ａには、他のフローリング用板材４１の第２の板材４２ｂとしての機能を有する端部４１ｂを接合し、第２の板材４２ｂとしての機能を有する端部４１ｂには、さらに他のフローリング用板材４１の第１の板材４２ａとしての機能を有する端部４１ａを接合するというように、同一形状の多数のフローリング用板材４１を相互に接合して連結することにより、フローリングを形成することができる。
【図面の簡単な説明】
【００８０】
【図１】本発明のフローリング用板材の端部の一構成例を示す説明的断面図。
【図２】図１に示すフローリング用板材の全体の構成を示す説明的断面図。
【図３】本発明のフローリング用板材の端部の他の構成例を示す説明的断面図。
【図４】図３に示すフローリング用板材の全体の構成を示す説明的断面図。
【図５】本発明の参考となるフローリング用板材の端部の一構成例を示す説明的断面図。
【図６】従来のフローリング用板材の端部の一構成例を示す説明的断面図。
【図７】従来のフローリング用板材の端部の他の構成例を示す説明的断面図。
【図８】従来のフローリング用板材の端部のさらに他の構成例を示す説明的断面図。
【符号の説明】
【００８１】
１，４１…フローリング用板材、  ２ａ，４２ａ…第１の板材、  ２ｂ，４２ｂ…第２の板材、  ３ａ，３ｂ，４３ａ，４３ｂ…板材の表面、  ４，４４…第１の傾斜面、  ５，４６…凹溝部、  １７，５９…第２の傾斜面、  １８，６１…凸条部、  １９，６２…面取り部。
【図１】
2006342660.tif 000003
【図２】
2006342660.tif 000004
【図３】
2006342660.tif 000005
【図４】
2006342660.tif 000006
【図５】
2006342660.tif 000007
【図６】
2006342660.tif 000008
【図７】
2006342660.tif 000009
【図８】
2006342660.tif 000010